(57)【要約】  ユーザの顎の下にナプキン又はテーブルナプキン（３０）を吊着するシステムであって；該システムには、ばねクリップ（１４）及び吊着装置（１２）を備え；該吊着装置を、着用者の首（３２）周りに配置するよう構成し；該クリップを、該吊着装置から懸吊するよう構成する、システム。【選択図】図１
2008536021.tif 000002
【特許請求の範囲】
【請求項１】
ユーザの顎の下にナプキン又はテーブルナプキンを吊着するシステムであって；前記システムには、ばねクリップ及び吊着装置を備え；前記吊着装置を、着用者の首周りに配置するよう構成し；前記クリップを、前記吊着装置から懸吊するよう構成すること、を特徴とするシステム。
【請求項２】
前記クリップを紙幣クリップとすること、を特徴とする請求項１に記載のシステム。
【請求項３】
前記吊着装置には、前記ユーザの首周りに緩く渡すのに十分な長さの細長い可撓性部材を備えること、を特徴とする請求項１又は２に記載のシステム。
【請求項４】
前記細長い可撓性部材には、前記細長い可撓性部材の第１端部を前記細長い可撓性部材の第２端部に着脱可能に取着するよう構成する協働閉止手段を設けること、を特徴とする請求項３に記載のシステム。
【請求項５】
前記細長い可撓性部材を１本の鎖とすること、を特徴とする請求項３に記載のシステム。
【請求項６】
前記細長い可撓性部材を一本の紐とすること、を特徴とする請求項３に記載のシステム。
【請求項７】
ユーザの顎の下にナプキン又はテーブルナプキンを吊着する方法であって；前記方法には：
（ａ）ばねクリップを吊着装置に取着すること、
（ｂ）前記ユーザの首周りに前記吊着装置を締着すること、
（ｃ）前記ナプキンの一部を前記ばねクリップに挿入すること、
を含む方法。
【請求項８】
前記吊着装置を、可撓性の細長部材とすること、を特徴とする請求項７に記載の方法。
【請求項９】
前記細長部材を一本の鎖とすること、を特徴とする請求項８に記載の方法。
【請求項１０】
前記細長部材を一本の紐とすること、を特徴とする請求項８に記載の方法。
【請求項１１】
前記細長部材には、前記細長部材の第１端部を前記細長部材の第２端部に着脱可能に取着するよう構成する閉止手段を設けること、を特徴とする請求項８に記載の方法。
【請求項１２】
前記クリップを紙幣クリップとすること、を特徴とする請求項７に記載の方法。
【請求項１３】
本明細書で記述され、添付図で参照されるようなナプキン又はテーブルナプキン支持装置。
【発明の詳細な説明】
【技術分野】
【０００１】
本発明は、ユーザの口に移動する物質が衣類を損なわないよう又は汚さないよう保護する方法及び装置に関し、より詳しくは、同目的のためにナプキン又は前掛けを支持する手段に関する。
【背景技術】
【０００２】
ナプキンは、飲食物を、食器又はグラスから口に運ぶ際に、衣類上にこぼすのを防ぐ昔からの一般的な手段である。効果的に使用するために、ナプキンは理想的には、着用者の顎の真下から、飲食物をそこから移送する食器又はテーブルの高さより下までで被着しなければならない。
【０００３】
これは、しばしばレストランで使用するのに不便であったり、例えば、イヴニングガウンを着用した女性ユーザにとっては不可能であったりもする。しかし、男性にとっても、ナプキンの角をきつく締めた襟元に挿入するのは、不快で、不都合である。
【発明の開示】
【発明が解決しようとする課題】
【０００４】
本発明の目的は、上記の欠点の幾つかを解決する又は少なくとも改善することである。
【課題を解決するための手段】
【０００５】
従って、本発明の一般的な１形態では、ユーザの顎の下にナプキン又はテーブルナプキンを吊着するシステムを提供するが；該システムには、ばねクリップ及び吊着装置を備え；該吊着装置を、着用者の首周りに配置するよう構成し；該クリップを、該吊着装置から懸吊するよう構成する。
【０００６】
望ましくは、上記クリップを、紙幣クリップとする。
【０００７】
望ましくは、上記吊着装置には、上記ユーザの首周りに緩く渡すのに十分な長さの細長い可撓性部材を備える。
【０００８】
望ましくは、上記細長い可撓性部材には、該細長い可撓性部材の第１端部を該細長い可撓性部材の第２端部に着脱可能に取着するよう構成する協働閉止手段を設ける。
【０００９】
望ましくは、記細長い可撓性部材を１本の鎖とする。
【００１０】
望ましくは、上記細長い可撓性部材を一本の紐とする。
【００１１】
さらに、本発明の広義の更なる形態では、ユーザの顎の下にナプキン又はテーブルナプキンを吊着する方法を提供するが；該方法には：
（ａ）ばねクリップを吊着装置に取着すること、
（ｂ）上記ユーザの首周りに該吊着装置を締着すること、
（ｃ）上記ナプキンの一部を上記ばねクリップに挿入すること、
を含む。
【００１２】
望ましくは、上記吊着装置を、可撓性の細長部材とする。
【００１３】
望ましくは、上記細長部材を一本の鎖とする。
【００１４】
望ましくは、上記細長部材を一本の紐とする。
【００１５】
望ましくは、上記細長部材には、該細長部材の第１端部を該細長部材の第２端部に着脱可能に取着するよう構成する閉止手段を設ける。
【００１６】
望ましくは、上記ばねクリップを紙幣クリップとする。
【００１７】
さらに、本発明の一般的な更なる形態では、本明細書で記述され、添付図で参照されるようなナプキン又はテーブルナプキン支持装置を提供する。
【発明を実施するための最良の形態】
【００１８】
本発明の実施例について、次に添付図を参照して記述する。
【００１９】
図１及び図２を参照すると、本発明の好適な実施例によるナプキン支持体１０には、支持装置１２及びばねクリップ１４を備えている。支持装置１２を１本の可撓性の鎖又は紐とし、図３に示すように、ユーザの首１６周りに緩着するに十分に長くする。好適には、この鎖又は紐を、例えばネックレスに一般的に見られるような、閉止装置、例えば留金又はホック１１及び受金１３等で係着する。
【００２０】
図２を特に参照すると、好適な１実施例では、ばねクリップ１４を紙幣クリップとする。かかるクリップは一般的に金属製であって、場合によっては銀等の貴金属製であるが、単一長さの金属を備え、該長さの半分未満の位置でそれ自体を折曲し、それにより背部１６及び相対的に短い前部１８を形成する。曲折部２０を、該曲折部領域で該金属長さ内部の対向する表面を、紙幣の適当な束を十分に収容するように分離させて、折返状に形成する。
【００２１】
前部１８の端部２２には凹湾曲部分２４を設け、それにより前部の先端部を背部１６の表面２６より上方に上げる。これにより、背部１６と前部１８との間に簡単に、略曲折部２０の折返厚さまでの厚さの被着体を挿入できる。
【００２２】
図２で分かるように、クリップ１４を使用しない際には、凹湾曲部分２４下面は面２６を押圧している。この接触を離隔しようとすると、クリップを形成する金属が持つ剛性により抵抗を受け、それにより面２８と湾曲部分の下面２６との間に導入する任意の被着体が、若干の力で保持される。
【００２３】
使用に関して
次に図３を参照すると、ナプキン又はテーブルナプキン３０を、容易にクリップ１４に挿入し、支持装置１２をユーザの首３２周りに配置又は締着して、それによりユーザの衣類３４を保護してもよい。
【００２４】
クリップ１４及びその支持装置１２を、ポケット、ハンドバッグ又は財布に入れて簡単に持ち運べる小型の軽量なアイテムにし、そうして容易に携帯可能にして、ユーザが食事を取る際に適当な状況で、使用する。
【００２５】
上記では、本発明に関する幾つかの実施例だけを記述するものであって、当業者には明白な変更を、本発明の範囲及び精神から逸脱することなく、行える。従って、本発明による好適なクリップを紙幣クリップとしたが、支持装置に明らかに、その中にナプキン又はテーブルナプキンを受容及び支持できる任意のクリップを係着させてもよい。
【図面の簡単な説明】
【００２６】
【図１】ナプキン支持体の好適な仕組みに関する斜視図である。
【図２】本発明の好適な実施例によるばねクリップの斜視図である。
【図３】使用時の、本発明の好適な実施例を装着したユーザの部分斜視図である。
【符号の説明】
【００２７】
１０    ナプキン支持体
１１    ホック
１２    支持装置
１３    受金
１４    ばねクリップ
１６    背部
１８    前部
２０    曲折部
２４    凹湾曲部分
３０    ナプキン
３２    首
３４    衣類
【図１】
2008536021.tif 000003
【図２】
2008536021.tif 000004
【図３】
2008536021.tif 000005
【国際調査報告】
2008536021.tif 000006
2008536021.tif 000007
2008536021.tif 000008